【手続補正書】
【提出日】平成18年3月16日(2006.3.16)
【手続補正１】
【補正対象書類名】明細書
【補正対象項目名】発明の名称
【補正方法】変更
【補正の内容】
【発明の名称】情報提供装置および方法、情報処理装置および方法、並びに記録媒体
【手続補正２】
【補正対象書類名】明細書
【補正対象項目名】特許請求の範囲
【補正方法】変更
【補正の内容】
【特許請求の範囲】
【請求項１】  ネットワーク上の、サービスを提供するサービス提供装置にアクセスするためのアクセス情報を提供する情報提供装置であって、
前記アクセス情報が可変のサービス提供装置を特定するための特定情報と対応付けて、そのサービス提供装置のアクセス情報を記憶する記憶手段と、
前記ネットワーク上の情報処理装置から前記サービス提供装置の特定情報を受信し、その特定情報と対応付けられている前記アクセス情報を、前記情報処理装置に送信する通信手段と
を含むことを特徴とする情報提供装置。
【請求項２】  前記アクセス情報は、前記サービス提供装置が前記ネットワークに接続したときに割り当てられるものであり、
前記サービス提供装置が、自身に割り当てられた前記アクセス情報を、その特定情報とともに送信する場合において、
前記記憶手段は、前記サービス提供装置から送信されてくる前記アクセス情報を、そのサービス提供装置の前記特定情報と対応付けて記憶する
ことを特徴とする請求項１に記載の情報提供装置。
【請求項３】  前記アクセス情報は、ＩＰ（Internet Protocol）アドレスである
ことを特徴とする請求項１に記載の情報提供装置。
【請求項４】  前記記憶手段は、前記サービス提供装置の前記特定情報と対応付けて、そのサービス提供装置の状態を示す状態情報も記憶し、
前記通信手段は、前記情報処理装置に対して、前記状態情報も送信する
ことを特徴とする請求項１に記載の情報提供装置。
【請求項５】  ネットワーク上の、サービスを提供するサービス提供装置にアクセスするためのアクセス情報を提供する情報提供方法であって、
前記アクセス情報が可変のサービス提供装置を特定するための特定情報と対応付けて、そのサービス提供装置のアクセス情報を記憶する記憶ステップと、
前記ネットワーク上の情報処理装置から前記サービス提供装置の特定情報を受信し、その特定情報と対応付けられている前記アクセス情報を、前記情報処理装置に送信する通信ステップと
を含むことを特徴とする情報提供方法。
【請求項６】  ネットワーク上の、サービスを提供するサービス提供装置にアクセスするためのアクセス情報を提供する処理用のプログラムであって、
前記アクセス情報が可変のサービス提供装置を特定するための特定情報と対応付けた、そのサービス提供装置のアクセス情報の記憶を制御する記憶制御ステップと、
前記ネットワーク上の情報処理装置から前記サービス提供装置の特定情報を受信し、その特定情報と対応付けられている前記アクセス情報を、前記情報処理装置に送信するように通信を制御する通信制御ステップと
をコンピュータに実行させるプログラムが記録されている記録媒体。
【請求項７】  ネットワーク上の、サービスを提供するサービス提供装置にアクセスし、サービスを要求する情報処理装置であって、
前記サービス提供装置にアクセスするためのアクセス情報を、そのサービス提供装置を特定するための特定情報と対応付けて記憶し、前記アクセス情報を提供する情報提供装置に対して、前記アクセス情報が可変な前記サービス提供装置の特定情報を送信することにより、その特定情報と対応付けられている前記アクセス情報を取得する取得手段と、
前記情報提供装置から取得したアクセス情報に基づいて、前記サービス提供装置にアクセスし、サービスの提供を要求する要求手段と
を含むことを特徴とする情報処理装置。
【請求項８】  前記アクセス情報は、ＩＰ（Internet Protocol）アドレスである
ことを特徴とする請求項７に記載の情報処理装置。
【請求項９】  前記情報提供装置は、前記サービス提供装置の前記特定情報と対応付けて、そのサービス提供装置の状態を示す状態情報も記憶し、
前記取得手段は、前記特定情報と対応付けられている前記状態情報も取得する
ことを特徴とする請求項７に記載の情報処理装置。
【請求項１０】  ネットワーク上の、サービスを提供するサービス提供装置にアクセスし、サービスを要求する情報処理方法であって、
前記サービス提供装置にアクセスするためのアクセス情報を、そのサービス提供装置を特定するための特定情報と対応付けて記憶し、前記アクセス情報を提供する情報提供装置に対して、前記アクセス情報が可変な前記サービス提供装置の特定情報を送信することにより、その特定情報と対応付けられている前記アクセス情報を取得する取得ステップと、
前記情報提供装置から取得したアクセス情報に基づいて、前記サービス提供装置にアクセスし、サービスの提供を要求する要求ステップと
を含むことを特徴とする情報処理方法。
【請求項１１】  ネットワーク上の、サービスを提供するサービス提供装置にアクセスし、サービスを要求する処理用のプログラムであって、
前記サービス提供装置にアクセスするためのアクセス情報を、そのサービス提供装置を特定するための特定情報と対応付けて記憶し、前記アクセス情報を提供する情報提供装置に対して、前記アクセス情報が可変な前記サービス提供装置の特定情報を送信することにより、その特定情報と対応付けられている前記アクセス情報を取得する取得ステップと、
前記情報提供装置から取得したアクセス情報に基づいて、前記サービス提供装置にアクセスし、サービスの提供を要求する要求ステップと
をコンピュータに実行させるプログラムが記録されている記録媒体。
【手続補正３】
【補正対象書類名】明細書
【補正対象項目名】０００１
【補正方法】変更
【補正の内容】
【０００１】
【発明の属する技術分野】
本発明は、情報提供装置および方法、情報処理装置および方法、並びに記録媒体に関し、特に、例えば、ネットワーク上においてサービスを提供するサーバが、それにアクセスするためのＩＰ（Internet Protocol）アドレス等のアクセス情報の可変なものである場合に、容易に、そのサーバにアクセスして、サービスの提供を受けることができるようにする情報提供装置および方法、情報処理装置および方法、並びに記録媒体に関する。
【手続補正４】
【補正対象書類名】明細書
【補正対象項目名】０００９
【補正方法】変更
【補正の内容】
【０００９】
請求項６に記載の記録媒体のプログラムは、アクセス情報が可変のサービス提供装置を特定するための特定情報と対応付けた、そのサービス提供装置のアクセス情報の記憶を制御する記憶制御ステップと、ネットワーク上の情報処理装置からサービス提供装置の特定情報を受信し、その特定情報と対応付けられているアクセス情報を、情報処理装置に送信するように通信を制御する通信制御ステップとをコンピュータに実行させる。
【手続補正５】
【補正対象書類名】明細書
【補正対象項目名】００１２
【補正方法】変更
【補正の内容】
【００１２】
請求項１１に記載の記録媒体のプログラムは、サービス提供装置にアクセスするためのアクセス情報を、そのサービス提供装置を特定するための特定情報と対応付けて記憶し、アクセス情報を提供する情報提供装置に対して、アクセス情報が可変なサービス提供装置の特定情報を送信することにより、その特定情報と対応付けられているアクセス情報を取得する取得ステップと、情報提供装置から取得したアクセス情報に基づいて、サービス提供装置にアクセスし、サービスの提供を要求する要求ステップとをコンピュータに実行させる。
【手続補正６】
【補正対象書類名】明細書
【補正対象項目名】００１３
【補正方法】変更
【補正の内容】
【００１３】
請求項１に記載の情報提供装置および請求項５に記載の情報提供方法、並びに請求項６に記載の記録媒体においては、アクセス情報が可変のサービス提供装置を特定するための特定情報と対応付けて、そのサービス提供装置のアクセス情報が記憶される一方、ネットワーク上の情報処理装置からサービス提供装置の特定情報が受信され、その特定情報と対応付けられているアクセス情報が、情報処理装置に送信される。
【手続補正７】
【補正対象書類名】明細書
【補正対象項目名】００１４
【補正方法】変更
【補正の内容】
【００１４】
請求項７に記載の情報処理装置および請求項１０に記載の情報処理方法、並びに請求項１１に記載の記録媒体においては、サービス提供装置にアクセスするためのアクセス情報を、そのサービス提供装置を特定するための特定情報と対応付けて記憶し、アクセス情報を提供する情報提供装置に対して、アクセス情報が可変なサービス提供装置の特定情報を送信することにより、その特定情報と対応付けられているアクセス情報が取得され、その情報提供装置から取得したアクセス情報に基づいて、サービス提供装置にアクセスされ、サービスの提供が要求される。
【手続補正８】
【補正対象書類名】明細書
【補正対象項目名】００８７
【補正方法】変更
【補正の内容】
【００８７】
【発明の効果】
請求項１に記載の情報提供装置および請求項５に記載の情報提供方法、並びに請求項６に記載の記録媒体によれば、アクセス情報が可変のサービス提供装置を特定するための特定情報と対応付けて、そのサービス提供装置のアクセス情報が記憶される一方、ネットワーク上の情報処理装置からサービス提供装置の特定情報が受信され、その特定情報と対応付けられているアクセス情報が、情報処理装置に送信される。従って、情報処理装置において、アクセス情報が可変のサービス提供装置に、容易にアクセスすることが可能となり、さらに、アクセス情報が可変なサービス提供装置では、情報処理装置に対して、容易に、サービスを提供することが可能となる。
【手続補正９】
【補正対象書類名】明細書
【補正対象項目名】００８８
【補正方法】変更
【補正の内容】
【００８８】
請求項７に記載の情報処理装置および請求項１０に記載の情報処理方法、並びに請求項１１に記載の記録媒体によれば、サービス提供装置にアクセスするためのアクセス情報を、そのサービス提供装置を特定するための特定情報と対応付けて記憶し、アクセス情報を提供する情報提供装置に対して、アクセス情報が可変なサービス提供装置の特定情報を送信することにより、その特定情報と対応付けられているアクセス情報が取得され、その情報提供装置から取得したアクセス情報に基づいて、サービス提供装置にアクセスされ、サービスの提供が要求される。従って、情報処理装置において、アクセス情報が可変なサービス提供装置が提供するサービスを、容易に受けることが可能となり、さらに、アクセス情報が可変なサービス提供装置では、情報処理装置に対して、容易に、サービスを提供することが可能となる。